(57)【要約】【課題】送風装置から吹き出される気流と外気の混合を抑制する。【解決手段】空気の流れを形成する少なくとも２つ以上のシロッコファン００２と、シロッコファン００２の吸込口００３と、シロッコファン００２の気流出口と直結する風路００４と、風路００４の気流出口となる吹出口００５とで構成される送風ユニット００１とを備え、隣接する吹出口００５の間隔は、吹出口００５の長手方向寸法以下に配設され、送風ユニット００１は、所定の空間００１ａの周囲に少なくとも２つ以上設置されたことにより、吹出口００５の下流において、吹出口００５の長手方向に沿って一様な空気を搬送することができ、少なくとも２つ以上のエアーカーテンにより、エアーカーテン間の内部空間では、外気との混合を抑制した空間を形成できる。【選択図】図１
2019157683.tif 000002
【特許請求の範囲】
【請求項１】
空気の流れを形成する少なくとも２つ以上のシロッコファンと、
前記シロッコファンの吸込口と、
前記シロッコファンの気流出口と直結する風路と、
前記風路の気流出口となる吹出口とで構成される送風ユニットとを備え、
隣接する前記吹出口の間隔は、
前記吹出口の長手方向寸法以下に配設され、前記送風ユニットは、所定の空間の周囲に少なくとも２つ以上設置された、
ことを特徴とする送風装置。
【発明の詳細な説明】
【技術分野】
【０００１】
本発明はシロッコファンを備えた送風装置に関するものである。
【背景技術】
【０００２】
夏場の屋外、例えば工事現場やイベント会場のような空間では、熱中症対策が課題となっている。従来では、一般的な扇風機が用いられているが、扇風機では、風が体に当たることによる体感温度の低下を狙うものであり、気温を下げる効果がないため、熱中症対策としては不十分である。一方、扇風機と噴霧器を用いた「噴霧機能付き扇風機」は、霧の気化熱を利用して気温を下げることができるため、熱中症対策としては有用である（例えば特許文献１）。
【０００３】
図７は、特許文献１に記載された従来の「噴霧機能付き扇風機」を示すものである。図７に示すように、複数の翼１０１を有するファン１００と、翼１０１の周囲に配置され、翼１０１が吹き出した気流を整流するための中空略円筒形状のガイドケーシング１１０と、ガイドケーシング１１０の中空略円筒形状の内部に霧１１を噴霧するための噴霧ノズル１０を有する。
【先行技術文献】
【特許文献】
【０００４】
【特許文献１】特開２００９−１０８６７９号公報
【発明の概要】
【発明が解決しようとする課題】
【０００５】
しかしながら、前記従来の構成では、ファン１００からの吹出気流１０５は局所的であるため、形成する冷却空間も局所的となる。また、吹出気流１０５は外気を遮断できないため、外気との混合も促進され、一度、霧の気化熱により冷却された空気が、即座に外気との混合により受熱する課題を有していた。
【０００６】
本発明は前記従来の課題を解決するもので、所定の空間の周囲に気流を吹き出し、吹き出した気流の外側と内側において気流の混合を抑制する送風装置を提供することを目的とする。
【課題を解決するための手段】
【０００７】
従来の課題を解決するために、本発明の送風装置は、空気の流れを形成する少なくとも２つ以上のシロッコファンと、前記シロッコファンの吸込口と、前記シロッコファンの気流出口と直結する風路と、前記風路の気流出口となる前記吹出口とで構成される送風ユニットとを備え、隣接する前記吹出口の間隔は、前記吹出口の長手方向寸法以下に配設され、前記送風ユニットは、所定の空間の周囲に少なくとも２つ以上設置されたものである。
【０００８】
これにより、各シロッコファンから吹き出される気流は、拡散しながら合体し、各吹出口の下流において一様な速度分布の噴流（以下、エアーカーテンと呼ぶ）となり、エアーカーテンは空間を分断し、エアーカーテンを境界として、エアーカーテンの両側の空気の混合を遮断する。
【０００９】
所定の空間の周囲に設置した複数の送風ユニットからのエアーカーテンにより、エアーカーテンで囲まれた内側の空間と外側の空間を分断する。
【発明の効果】
【００１０】
本発明の送風装置では、複数のエアーカーテンで囲まれた内側で、屋外環境においても外気との混合を抑制した空間を形成できる。
【００１１】
なお、自然風による気流の混合についてもエアーカーテンの遮断により抑制することができる。
【００１２】
また、従来の噴霧機能付き扇風機のように、エアーカーテンの内側で霧を噴霧した場合、外気との混合を抑制されることにより、エアーカーテンの内側は外気よりも低い気温の空間を形成することができる。
【図面の簡単な説明】
【００１３】
【図１】本発明の第１の実施の形態における送風装置の断面図
【図２】本発明の第１の実施の形態における送風装置の下面図
【図３】本発明の第１の実施の形態における２方向送風装置の下面図
【図４】本発明の第１の実施の形態における３方向送風装置の下面図
【図５】本発明の第２の実施の形態における送風装置の断面図
【図６】本発明の第３の実施の形態における送風装置の斜視図
【図７】特許文献１に記載された従来の噴霧機能付き扇風機を示す図
【発明を実施するための形態】
【００１４】
第１の発明は、空気の流れを形成する少なくとも２つ以上のシロッコファンと、前記シロッコファンの吸込口と、前記シロッコファンの気流出口と直結する風路と、前記風路の気流出口となる吹出口とで構成される送風ユニットとを備え、隣接する前記吹出口の間隔は、前記吹出口の長手方向寸法以下に配設され、前記送風ユニットは、所定の空間の周囲に少なくとも２つ以上設置されたことにより、各シロッコファンから吹き出される気流は、拡散しながら合体し、各吹出口の下流において一様な速度分布の噴流（以下、エアーカーテンと呼ぶ）となり、エアーカーテンは空間を分断し、エアーカーテンを境界として、エアーカーテンの両側の空気の混合を遮断する。
【００１５】
これにより、複数のエアーカーテンで囲まれた内側で、屋外環境においても外気との混合を抑制した空間を形成できる。
【００１６】
なお、自然風による気流の混合についてもエアーカーテンの遮断により抑制することができる。
【００１７】
また、従来の噴霧機能付き扇風機のように、エアーカーテンの内側で霧を噴霧した場合、外気との混合を抑制されることにより、エアーカーテンの内側は外気よりも低い気温の空間を形成することができる。
【００１８】
以下、本発明の実施の形態について、図面を参照しながら説明する。なお、この実施の形態によって本発明が限定されるものではない。
【００１９】
（実施の形態１）
図１および図２を参照しながら、本発明の第１の実施の形態における送風装置について説明する。
【００２０】
図１は、本発明の第１の実施の形態における送風装置の断面図を示すものである。
【００２１】
図２は、本発明の第１の実施の形態における送風装置の下面図を示すものである。
【００２２】
図１および図２において、空気の流れを形成する少なくとも２つ以上のシロッコファン００２と、シロッコファン００２の吸込口００３と、シロッコファン００２の気流出口と直結する風路００４と、風路００４の気流出口となる吹出口００５とで構成される送風ユニット００１とを備え、隣接する吹出口００５の間隔は、吹出口００５の長手方向寸法以下に配設され、送風ユニット００１は、所定の空間００１ａの周囲に少なくとも２つ以上設置して構成している。
【００２３】
以上のように、構成された送風装置について、以下その動作、作用を説明する。
【００２４】
まず、各シロッコファン００２から吹き出される気流は、拡散しながら合体し、各吹出口００５の下流において一様な速度分布の噴流（以下、エアーカーテンと呼ぶ）となり、エアーカーテンは空間を分断し、エアーカーテンを境界として、エアーカーテンの両側の空気の混合を遮断する。例えば図１の点線で示される気流の交差で示されるように、エアーカーテンは少なくとも床面０１０に到達するまでに形成されている。
【００２５】
これにより、複数のエアーカーテンで囲まれた内側で、屋外環境においても外気との混合を抑制した空間を形成できる。
【００２６】
なお、自然風による気流の混合についてもエアーカーテンの遮断により抑制することができる。
【００２７】
また、従来の噴霧機能付き扇風機のように、エアーカーテンの内側で霧を噴霧した場合、外気との混合を抑制されることにより、エアーカーテンの内側は外気よりも低い気温の空間を形成することができる。
【００２８】
なお、エアーカーテンの吹出口００５の数は、図２に示す４方向に限定しない。
【００２９】
図１に示す送風ユニット００１による１方向のエアーカーテンを平行に配置した２方向の送風装置の例を図３に示す。図３に示す２方向エアーカーテン生成ユニットの連結は、例えば通路や歩道など、比較的幅が狭く、距離が長い場所への設置に適している。
【００３０】
また、図４に示す３方向エアーカーテンについては、例えば休憩所など、１面は壁など、気流の遮断物００８がある場所への設置に適している。また、所定の空間００１ａの大きさについても、送風ユニット００１を連結していくことにより、自由に調整することが可能である。
【００３１】
（実施の形態２）
図５は本発明の第２の実施の形態における送風装置の断面図を示すものである。
【００３２】
図５において、実施の形態１に記載する送風装置の送風ユニット００１が格納された筐体００７と、各送風ユニット００１の内側で、筐体００７の下面が開口された吸込口００３と、吹出口００５に設置した気流角度調整のための風向板００６とを備えたものである。
【００３３】
以上のように、構成された送風装置について、以下その動作、作用を説明する。
【００３４】
まず、各シロッコファン００２から吹き出される気流は、拡散しながら合体し、各吹出口００５の下流において一様な速度分布の噴流（以下、エアーカーテンと呼ぶ）となり、エアーカーテンは空間を分断し、エアーカーテンを境界として、エアーカーテンの両側の
空気の混合を遮断する。このとき、吹出口００５に設置した風向板００６により、吹き出す気流の角度を調整することで、所定の空間００１ａの大きさを調整できる。
【００３５】
また吹出口００５の内側は、シロッコファン００２の吸込みによる負圧空間となり、吹出口００５から吹き出したエアーカーテンの一部気流は、シロッコファン００２に再度吸い込まれ、吹き出される（以下、循環流れと呼ぶ）ことで、エアーカーテン内部の気流を攪拌することができる。
【００３６】
（実施の形態３）
図６は本発明の第３の実施の形態における送風装置の斜視図を示すものである。
【００３７】
図６において、実施の形態２に記載する送風装置の吸込口００３と吹出口００５の間に霧を噴霧する噴霧ノズル００９を設置して構成している。
【００３８】
以上のように、構成された送風装置について、以下その動作、作用を説明する。
【００３９】
まず、各シロッコファン００２から吹き出される気流は、拡散しながら合体し、各吹出口００５の下流において、一様な速度分布の噴流（以下、エアーカーテンと呼ぶ）となり、エアーカーテンは空間を分断し、エアーカーテンを境界として、エアーカーテンの両側の空気の混合を遮断する。
【００４０】
エアーカーテンの内側で噴霧された霧は、エアーカーテンの気流に誘引され、気化熱により気流を冷却する。
【００４１】
このとき吹出口００５の内側は、シロッコファン００２の吸込みによる負圧空間となり、霧の蒸発により冷却されたエアーカーテンの一部の気流は、シロッコファン００２に再度吸い込まれ、循環流れを形成する。
【００４２】
これにより霧の気化熱により冷却された低温空気が、シロッコファン００２の吸込み気流と混合するため、本発明の送風装置が吹き出す気流の温度を外気温よりも低い温度で吹き出すことができる。
【００４３】
なお、エアーカーテンが形成する循環流れにより、吹き出す気流の温度低下量を同等として比較した場合に、従来の噴霧機能付き扇風機の構成よりも霧の水量を減らすことができる。
【００４４】
なお、エアーカーテンが内側と外側の空気の混合を遮断することで、エアーカーテン内部の低温空気が自然風から流されにくくすることができる。
【００４５】
なお、シロッコファン００２に吸い込まれた低温空気が、ファンモータを冷やすので、ファンモータの過熱を防ぐことができるので寿命が延びる。
【００４６】
以上本発明の実施形態について説明したが、本発明は上記実施形態に限定されるものではなく、本発明の趣旨を逸脱しない範囲で種々の変更が可能である。
【産業上の利用可能性】
【００４７】
以上のように、本発明にかかる送風装置は、気流を広範囲にわたって一様に吹き出すことに好適である。
【符号の説明】
【００４８】
００１  送風ユニット
００２  シロッコファン
００３  吸込口
００４  風路
００５  吹出口
００６  風向板
００７  筐体
００８  遮断物
００９  噴霧ノズル
０１０  床面
１００  ファン
１０１  翼
１１０  ガイドケーシング
【図１】
2019157683.tif 000003
【図２】
2019157683.tif 000004
【図３】
2019157683.tif 000005
【図４】
2019157683.tif 000006
【図５】
2019157683.tif 000007
【図６】
2019157683.tif 000008
【図７】
2019157683.tif 000009